(57)【要約】【課題】成形した成形品を搬送しながらその重量を自動的に計測できるようなシステムを具現する。【解決手段】上下に貫通した臼孔４が設けられているテーブル３１、テーブル３１の臼孔４に粉体を充填する充填装置、並びに臼孔４に充填された粉体を圧縮することで成形品Ｐを成形する上杵及び下杵を有する粉体圧縮成形機Ａを具備する成形品生産システムであって、成形された後移動する成形品Ｐの移動経路に沿った所定位置に、成形品Ｐの重量と相関のある物理量を計測する重量計測装置Ａ２を設置した成形品生産システムを構成した。【選択図】図４
2020049516.tif 000002
【特許請求の範囲】
【請求項１】
上下に貫通した臼孔が設けられているテーブル、テーブルの臼孔に粉体を充填する充填装置、並びに臼孔に充填された粉体を圧縮することで成形品を成形する上杵及び下杵を有する粉体圧縮成形機を具備する成形品生産システムであって、
成形された後移動する成形品の移動経路に沿った所定位置に、成形品の重量と相関のある物理量を計測する重量計測装置を設置した成形品生産システム。
【請求項２】
前記重量計測装置は、移動する成形品が移動の過程で衝突する部材に設けた、その衝突時に当該部材が受ける力を検出するセンサを含むものである請求項１記載の成形品生産システム。
【請求項３】
前記粉体圧縮成形機は、回転盤のテーブルに臼孔を設けるとともに、各臼孔の上下に上杵及び下杵をそれぞれ摺動可能に保持させておき、臼孔及び杵をともに水平回転させて、上杵及び下杵の対が上ロール及び下ロールの間を通過するときに臼孔内に充填した粉体を圧縮成形する回転式のものであり、
前記部材は、回転式粉体圧縮成形機のテーブルに上方から重なるようにして臼孔の水平回転の軌跡の直上に位置し、下杵により臼孔から押し出された成形品を掻き取るスクレーパである請求項２記載の成形品生産システム。
【請求項４】
前記センサの出力信号に基づいて成形品の重量を推算する制御装置を具備し、
制御装置が、標本となる成形品が前記部材に衝突したときのセンサの出力信号と、同成形品の重量との組である検量線データの入力を受け付けて記憶する請求項３記載の成形品生産システム。
【発明の詳細な説明】
【技術分野】
【０００１】
本発明は、成形品の成形及び検査等の処理を一貫して実行することのできる成形品生産システムに関する。
【背景技術】
【０００２】
回転盤のテーブルに臼孔を設けるとともに、各臼孔の上下に上杵及び下杵をそれぞれ摺動可能に保持させておき、テーブル及び杵をともに水平回転させて、上杵及び下杵の対が上ロール及び下ロールの間を通過するときに臼孔内に充填された粉体を圧縮成形（又は、打錠）する回転式の粉体圧縮成形機が公知である。この種の粉体圧縮成形機は、医薬品の錠剤や食品、電子部品等を製造するために利用される。
【０００３】
成形品に対しては、その外面の異常の有無の検査、含有成分の検査、異物の混入の有無の検査等が行われる。近時では、成形品の検査その他の後工程の処理を実施するための装置（又は、機器）を粉体圧縮成形機の下流に連結し、成形品の成形から後工程までを一括して実行することが試みられている（例えば、下記特許文献１を参照）。
【０００４】
また、成形品を粉体圧縮成形機において成形した順序を維持したまま整列状態で移送できるモジュールも開発されるようになった（例えば、下記特許文献２を参照）。このものは、垂直軸回りに水平回転する移送体（回転体）の外周部に多数の孔を開設しており、そのそれぞれの孔に一個ずつ成形品を捕捉することにより、成形品を回転軌道に沿って搬送する。そして、成形品の移動の軌跡である回転軌道上の所定位置に検査装置を付設すれば、搬送される個々の成形品を順次検査することができる。
【０００５】
一方で、粉体圧縮成形機には、臼孔内に充填された粉体を圧縮する際に杵に作用する圧力の大きさを検出するためのセンサ（典型的には、ロードセル）が予め設置されており（例えば、下記特許文献１及び３を参照）、成形品の圧縮成形時の圧力からその成形品の密度や硬度を推測することができる。従来より、密度又は硬度が適正でない成形品、即ち圧縮成形時の圧力が異常であった成形品については、これを排除している。
【０００６】
しかしながら、圧縮成形時の圧力が正常であったとしても、対象の成形品が不良でないと断定することはできない。粉体の圧縮後に臼孔又は杵に粉体が付着したまま残留する打錠障害、いわゆるバインディングやスティッキングが起こった場合、成形品に欠けが生じてその形状、寸法又は重量が不良となるが、圧縮成形時の圧力の大きさからはこのような打錠障害による成形品の不良を感知できない。
【先行技術文献】
【特許文献】
【０００７】
【特許文献１】特開２０１７−１６４７８６号公報
【特許文献２】特開２０１７−１０４９０２号公報
【特許文献３】特開２０１０−２６０１００号公報
【発明の概要】
【発明が解決しようとする課題】
【０００８】
本発明は、成形した成形品を搬送しながらその重量を自動的に計測できるようなシステムを具現することを所期の目的としている。
【課題を解決するための手段】
【０００９】
本発明では、上下に貫通した臼孔が設けられているテーブル、テーブルの臼孔に粉体を充填する充填装置、並びに臼孔に充填された粉体を圧縮することで成形品を成形する上杵及び下杵を有する粉体圧縮成形機を具備する成形品生産システムであって、成形された後移動する成形品の移動経路に沿った所定位置に、成形品の重量と相関のある物理量を計測する重量計測装置を設置した成形品生産システムを構成した。このようなものであれば、成形した成形品を搬送しながらその重量を自動的に計測することができる。
【００１０】
ここで、粉体とは、微小個体の集合体であり、いわゆる顆粒などの粒体の集合体と、粒体より小なる形状の粉末の集合体とを包含する概念である。粉体の具体例としては、主薬（主剤、有効成分）を含む粉体の他、成形品の嵩及び重量を適当な大きさに増すための賦形剤、粉体が臼孔や杵に付着することを防止するための滑沢剤、粉体同士を結合させる結合剤、水分を吸収することで成形品を崩れやすくする崩壊剤としての澱粉、結晶セルロースや炭酸塩等、品質を安定させる安定剤、保存期間を延長する保存剤等の添加剤を挙げることができる。二種類以上の粉体を混合した粉体も本発明にいう粉体の一種であり、粉体である主薬に粉体である添加剤を混交したものもまた粉体に該当する。
【００１１】
前記重量計測装置は、例えば、移動する成形品が移動の過程で衝突する部材に設けた、その衝突時に当該部材が受ける力を検出するセンサを含む。
【００１２】
前記粉体圧縮成形機が、回転盤のテーブルに臼孔を設けるとともに、各臼孔の上下に上杵及び下杵をそれぞれ摺動可能に保持させておき、臼孔及び杵をともに水平回転させて、上杵及び下杵の対が上ロール及び下ロールの間を通過するときに臼孔内に充填した粉体を圧縮成形する回転式のものである場合、回転式粉体圧縮成形機のテーブルに上方から重なるようにして臼孔の水平回転の軌跡の直上に位置し、下杵により臼孔から押し出された成形品を掻き取るスクレーパに、前記圧力センサを設けることができる。
【００１３】
前記センサの出力信号に基づいて成形品の重量を推算する制御装置を具備し、制御装置が、標本となる成形品が前記部材に衝突したときのセンサの出力信号と、同成形品の重量との組である検量線データの入力を受け付けて記憶するものとすれば、複数個の標本について得た、標本と同数の検量線データに対して、回帰分析や内挿等を通じた直線当てはめ又は曲線当てはめを行い、センサの出力信号と成形品の重量との関係式である検量線を求めることができる。そして、本システムの実運用時、成形品が部材に衝突したときにセンサが出力する信号値を当該関係式に代入することで、当該成形品の重量を精度よく算出することができる。
【発明の効果】
【００１４】
本発明によれば、成形した成形品を搬送しながらその重量を自動的に計測できるようなシステムが具現される。
【図面の簡単な説明】
【００１５】
【図１】本発明の一実施形態の回転式粉体圧縮成形機の縦断面図。
【図２】同実施形態の粉体圧縮成形機及び成形品取出装置の要部平面図。
【図３】同実施形態の粉体圧縮成形機の円筒図。
【図４】同実施形態の取出装置の要部平面図。
【図５】同実施形態の取出装置の要部縦断面図。
【図６】同実施形態の取出装置の要部縦断面図。
【図７】同実施形態の取出装置及び粉塵除去装置の要部縦断面図。
【図８】同実施形態の成形品搬送装置の要部平面図。
【図９】同実施形態の搬送装置の要部縦断面図。
【図１０】同実施形態の搬送装置及び検査装置の要部縦断面図。
【図１１】同実施形態の搬送装置及び検査装置の要部縦断面図。
【図１２】同実施形態の成形品搬送装置の要部平面図。
【図１３】同実施形態の搬送装置の要部縦断面図。
【図１４】同実施形態の搬送装置及び検査装置の要部縦断面図。
【図１５】同実施形態の搬送装置及び排除装置の要部縦断面図。
【図１６】同実施形態の搬送装置及び検査装置の要部斜視図。
【図１７】同実施形態の回転式粉体圧縮成形機のロール及びロードセルの構成を示す図。
【発明を実施するための形態】
【００１６】
本発明の一実施形態を、図面を参照して説明する。はじめに、本実施形態における回転式粉体圧縮成形機（以下「成形機」という）Ａの全体概要を述べる。成形機Ａは、上下に貫通した臼孔４の上下に上杵５及び下杵６が上下摺動可能に保持され、その臼孔４内に充填された粉体を上杵５と下杵６とで圧縮することにより、成形品Ｐ例えば医薬品の錠剤等を成形するものである。臼孔４及び上下の杵５、６は、成形品Ｐを成形するための型となる。
【００１７】
図１に示すように、本成形機Ａのフレーム１内には、回転軸となる立シャフト２を設立し、その立シャフト２の上部に接続部を介して回転盤３を取り付けている。
【００１８】
回転盤３は、立シャフト２の軸回りに水平回転、即ち自転する。回転盤３は、テーブル（臼ディスク）３１と、上杵保持部３２と、下杵保持部３３とからなる。図２に示すように、テーブル３１は、回転盤３の回転軸の方向即ち上下方向から見た平面視において略円板状をなしている。そして、その外周部に、回転方向（周方向）に沿って所定間隔で複数の臼孔４を設けてある。臼孔４は、テーブル３１を上下方向に貫通している。テーブル３１は、複数のプレートに分割するものでもよい。また、テーブル３１自体に直接臼孔４を穿ち形成するのではなく、テーブル３１とは別体をなしテーブル３１に対して着脱可能な複数個の臼部材をテーブル３１に装着し、それら臼部材の各々に上下方向に貫通した臼孔を穿っている構成としてもよい。
【００１９】
各臼孔４の上下には、上杵５及び下杵６を配置する。上杵５及び下杵６は、上杵保持部３２及び下杵保持部３３により、それぞれが個別に臼孔４に対して上下方向に摺動可能であるように保持させる。上杵５の杵先５３は、臼孔４に対して出入りする。下杵６の杵先６３は、常時臼孔４に挿入してある。上杵５及び下杵６は、回転盤３及び臼孔４とともに立シャフト２の軸回りに水平回転、即ち公転する。
【００２０】
立シャフト２の下端側には、ウォームホイール７を取り付けている。ウォームホイール７には、ウォームギア１０が噛合する。ウォームギア１０は、モータ８により駆動されるギア軸９に固定している。モータ８が出力する駆動力は、ベルト１１によってギア軸９に伝わり、ウォームギア１０、ウォームホイール７を介して立シャフト２ひいては回転盤３及び杵５、６を回転駆動する。
【００２１】
成形品Ｐの原料即ち構成材料となる粉体は、充填装置たるフィードシューＸから臼孔４に充填する。フィードシューＸの種類には、攪拌フィードシューとオープンフィードシューがあり、そのうちの何れを採用しても構わない。フィードシューＸへの粉体の供給には、粉体供給装置を使用する。その粉体供給装置に対する粉体の供給は、ホッパ１９から行う。ホッパ１９は、成形機Ａに対して着脱することができる。
【００２２】
図２及び図３に示すように、杵５、６の立シャフト２の軸回りの公転軌道上には、杵５、６を挟むようにして上下に対をなす予圧上ロール１２及び予圧下ロール１３、本圧上ロール１４及び本圧下ロール１５がある。予圧上ロール１２及び予圧下ロール１３、並びに本圧上ロール１４及び本圧下ロール１５は、臼孔４内に充填された粉体を杵先５３、６３の先端面を以て上下から圧縮するべく、上下両杵５、６を互いに接近させる方向に付勢する。
【００２３】
上杵５、下杵６はそれぞれ、ロール１２、１３、１４、１５によって押圧される頭部５１、６１と、この頭部５１、６１よりも細径な胴部５２、６２とを有する。回転盤３の上杵保持部３２は、上杵５の胴部５２を上下に摺動可能に保持し、下杵保持部３３は、下杵６の胴部６２を上下に摺動可能に保持する。胴部５２、６２の先端部位即ち杵先５３、６３は、臼孔４内に挿入可能であるように、それ以外の部位と比べて一層細く、臼孔４の内径に略等しい直径である。杵５、６の公転により、ロール１２、１３、１４、１５は杵５、６の頭部５１、６１に接近し、頭部５１、６１に乗り上げるようにして接触する。さらに、ロール１２、１３、１４、１５は上杵５を下方に押し下げ、下杵６を上方に押し上げる。ロール１２、１３、１４、１５が杵５、６上の平坦面に接している期間は、杵５、６が臼孔４内の粉体に対して一定の圧力を加え続ける。
【００２４】
本圧上ロール１４及び本圧下ロール１５による加圧位置から、回転盤３及び杵５、６の回転方向に沿って先に進んだ位置に、成形品Ｐの受け渡し位置１６が存在する。受け渡し位置１６までに、下杵６の杵先６３の上端面が臼孔４の上端即ちテーブル３１の上面と略同じ高さとなるまで下杵６が上昇し、臼孔４内にある成形品Ｐを臼孔４から押し出す。臼孔４から押し出された成形品Ｐは、受け渡し位置１６において成形機Ａに連結した成形品処理装置（以下「処理装置」という）に移送される。
【００２５】
本実施形態の成形機Ａ及び処理装置（の各モジュールＢ、Ｃ、Ｄ）の制御を司る制御装置０は、プロセッサ、記憶デバイスであるメインメモリ及び補助記憶デバイス（例えば、フラッシュメモリ、ハードディスクドライブ等）、入出力インタフェース等を有したマイクロコンピュータシステム、パーソナルコンピュータ又はワークステーション、あるいはプログラマブルコントローラである。この制御装置０は、予め補助記憶デバイスに格納されているプログラムをメモリを介してプロセッサに読み込み、プロセッサにおいて解読して、成形機Ａ及び処理装置の制御を遂行する。
【００２６】
図１７に示すように、成形機の上ロール１２、１４には、ロール１２、１３、１４、１５が杵５、６を介して臼孔４内の粉体を圧縮する際の圧力を検出するためのセンサであるロードセルＡ１を付設してある。制御装置０は、ロール１２、１３、１４、１５に付帯するロードセルＡ１が出力する信号を受信することで、予圧ロール１２、１３が粉体を圧縮する圧力（予圧圧力）の大きさや、本圧ロール１４、１５が粉体を圧縮する圧力（本圧圧力）の大きさを知得することができる。また、ロードセルＡ１からもたらされる信号は、一組の杵５、６が一つの臼孔４の粉体を圧縮する圧力が最大となる時点でピークを迎えるようなパルス信号列の形をとる。故に、制御装置０は、そのパルス列の数を計数することを通じて、成形機における単位時間あたりの成形品の製造数量を知得することができる。
【００２７】
図２、図４、図８及び図１２に示すように、本実施形態において成形機Ａに付帯する処理装置は、成形品Ｐに対する何らかの後工程の処理を実施するためのモジュールＢ、Ｃ、Ｄを複数配列したものである。
【００２８】
成形機Ａの下流に直結するモジュールＢは、成形機Ａにおいて成形品Ｐを成形した順番を維持したままで成形機Ａから成形品Ｐを順次取り出す取出装置Ｂ１を有している。取出装置Ｂ１は、成形品Ｐを受け渡し位置１６にて取り出し、成形品Ｐに対して次の工程を実施する処理装置Ｂ２に向けて搬送する。図２、図４ないし図７に示すように、取出装置Ｂ１は、成形機Ａの回転盤３及びテーブル３１と同期して垂直軸回りに水平回転する移送体たる回転体１７と、回転体１７の直下にあって回転体１７と対向する保持体１８と、回転体１７の外周部における保持体１８と対向する下面から保持体１８に向かって下方に突出する複数の突起１７１と、回転体１７の外周部に近接し突起１７１と突起１７１との間の空隙を外側方から閉鎖する外側のガイド２０と、回転体１７の外周部よりも内方にあって突起１７１と突起１７１との間の空隙を内側方から閉鎖する内側のガイド２１とを主たる構成要素とする。
【００２９】
回転体１７は、図中反時計回りに回転するテーブル３１に対して、図中時計回りに回転する。テーブル３１の回転と回転体１７の回転とを同期させるためには、回転体１７を回転させるモータをサーボモータ又はステッピングモータとし、かつロータリエンコーダ等の角位置センサを用いて回転盤３及び回転体１７の各々の回転角度及び回転速度を検出して、両者の回転が同期するようにモータの回転速度をフィードバック制御する。あるいは、回転盤３と回転体１７とを、歯車伝動機構や巻掛伝動機構等を介して機械的に接続して連動させるようにしてもよい。
【００３０】
回転体１７は、当該回転体１７の回転軸の方向即ち上下方向から見た平面視において略円板状をなしている。この回転体１７に設けた複数の突起１７１は、回転体１７の外周縁に沿って、即ち回転体１７の回転軸回りの周方向に沿って、所定の間隔を隔てて間欠的に配置されている。これらの突起１７１は、回転体１７と一体となって回転することは言うまでもない。成形機Ａが成形した成形品Ｐは、回転体１７の突起１７１に捕捉され、突起１７１と突起１７１との間の空隙に収容された状態で移送される。
【００３１】
周方向に沿って隣り合う突起１７１と突起１７１との間の空隙の大きさＷは、成形機Ａが成形する成形品Ｐの最も長い外寸よりも大きい。ここに言う最も長い外寸とは、平面視において成形品Ｐの外縁（輪郭）上のある点から当該成形品Ｐの重心又は幾何中心に向かって伸び、同重心又は幾何中心を通過して成形品Ｐの外縁上の別の点に到達する線分の長さのうち、最も大きいものを指す。成形品Ｐが平面視楕円形状をなす場合には、その長軸又は長径が最も長い外寸に該当する。
【００３２】
図５に示すように、回転体１７の下面と、保持体１８の上面とは、上下方向に沿って所定距離を隔てて対向している。回転体１７の下面は、成形機Ａのテーブル３１の上面よりも高位置にある。その上で、回転体１７の外周部の一部が、成形機Ａのテーブル３１に上方から重なる。回転体１７の下面から突出する突起１７１の先端は、保持体１８の上面及びテーブル３１の上面に極近接する。テーブル３１及び回転体１７の同期回転に伴い、各臼孔４と、各突起１７１間の空隙とは、成形品Ｐの受け渡し位置１６において一時的に重なり合う。
【００３３】
回転体１７と異なり、保持体１８は回転せず、回転体１７の外周部に下方から重なるように配置される。保持体１８は、成形機Ａのテーブル３１に隣接し、その上面がテーブル３１の上面と略等しい高さにある。回転体１７の突起１７１間の空隙内に捕捉された成形品は、突起１７１とともに水平回転しながら、この保持体１８の上面を摺動又は滑走する。つまり、保持体１８は、移送される成形品を下方から支持する。テーブル３１との干渉を避けるべく、保持体１８における、テーブル３１と回転体１７とが平面視重なり合う受け渡し位置１６に対応する部位は、テーブル３１の外周縁に沿って円弧状に切り欠いてある。保持体１８の当該部位の端縁は、テーブル３１の外周縁に極近接しており、成形品Ｐが成形機Ａのテーブル３１の上面から取出装置Ｂ１の保持体１８の上面に円滑に移乗することができる。
【００３４】
回転体１７の下面と保持体１８の上面との離間距離Ｈは、成形機Ａが成形する成形品Ｐの上下方向に沿った厚みと同程度又はこれよりも大きく、なおかつ成形品Ｐの最も短い外寸よりも小さく設定する。ここに言う最も短い外寸とは、平面視において成形品Ｐの外縁上のある点から当該成形品Ｐの重心又は幾何中心に向かって伸び、同重心又は幾何中心を通過して成形品Ｐの外縁上の別の点に到達する線分の長さのうち、最も小さいものを指す。成形品Ｐが平面視楕円形状をなす場合には、その短軸又は短径が最も短い外寸に該当する。成形品Ｐの厚みは、成形機Ａにおいて臼孔４内に充填された粉体の圧縮が完了するときの上杵５の杵先５３と下杵６の杵先６３との上下方向に沿った距離に略等しい。
【００３５】
外側のガイド２０は、回転体１７の外周縁に隣接し、平面視回転体１７を取り巻く略円弧状をなすように拡張している。このガイド２０は、回転体１７の回転軸と直交する径方向に沿った外側方に開口している突起１７１間の空隙を外側方より閉塞し、成形品Ｐが遠心力により空隙から外側方に飛び出すことを抑止する。外側のガイド２０の始端部２０１は、成形機Ａのテーブル３１に向かって突き出し、テーブル３１に上方から重なるようにして臼孔４の水平回転の軌跡の直上に位置しており、テーブル３１の上面まで押し出された成形品Ｐを受け渡し位置１６において掻き取り取出装置Ｂ１に取り込むスクレーパ（又は、ダンパ）としての役割を担う。
【００３６】
また、内側のガイド２１は、回転体１７の突起１７１の径方向に沿った内側方の端縁に隣接し、回転体１７の外周部の内側で平面視略円弧状をなすように拡張している。このガイド２１は、回転体１７の径方向に沿った内側方に開口している空隙を内側方より閉塞し、成形品が意図せず内側方に変位することを抑止する。内側のガイド２１は、保持体１８に対して固定され、又は保持体１８と一体化していることがある。なお、回転体１７における、内側のガイド２１の上面が面する部位の下面は、回転体１７の外周部の空隙に面する（即ち、突起１７１を設けていない箇所の）下面よりも若干上方に凹んでいる。そして、内側のガイド２１の上面は、後述する粉塵除去装置Ｂ２が設けられている区域を除き、回転体１７の外周部の空隙に面する下面よりも若干ながら高い位置にある。これにより、成形品Ｐが回転体１７の下面と内側のガイド２１の上面との間隙に入り込むことを防止する。
【００３７】
既に述べた通り、成形機Ａにおいては、成形品Ｐを包有する臼孔４が受け渡し位置１６に至るまでの間に、下杵６が上昇して成形品Ｐを臼孔４から押し出す。押し出された成形品Ｐは、受け渡し位置１６においてテーブル３１の回転に伴って外側のガイド２０に当接し、外側のガイド２０に沿って移動して、テーブル３１上から保持体１８上へと遷移する。このとき、成形品Ｐは、回転体１７から下方に突出している突起１７１により捕捉され、回転体１７と保持体１８との間の領域における、突起１７１と突起１７１との間の空隙に入り込む。成形品Ｐは、一つ一つの空隙に一個ずつ収容される。これにより、成形機Ａのテーブル３１の臼孔４が並ぶ順番に、換言すれば成形機Ａにおいて成形品Ｐを圧縮成形した順番を崩さずに、各空隙に一個ずつ成形品Ｐを順番に並べて収容することができる。しかも、成形機Ａのテーブル３１からモジュールＢの取出装置Ｂ１の回転体１７への成形品Ｐの受け渡しの過程で、成形品Ｐの上面と下面とが裏返ることがない。
【００３８】
突起１７１間の空隙内に捕捉された成形品Ｐは、回転体１７の回転方向に沿って後方にある突起１７１と当接し、この突起１７１に押されながら、突起１７１の回転の軌跡に沿って、保持体１８上を摺動又は滑走しつつ移送される。各成形品Ｐは、各空隙内において、突起１７１に対する相対位置が略一定となる。成形品Ｐは、回転体１７の回転により遠心力の作用を受け、空隙内で回転体１７の径方向に沿った内側方から外側方へと変位する。だが、その成形品Ｐは、外側のガイド２０の内側方の縁辺に当接してそれ以上の変位が阻まれ、空隙から外側方に飛び出すことはない。また、空隙の上方は回転体１７により閉塞されているので、空隙内に捕捉した成形品Ｐが不意に跳ねて空隙から脱出してしまうこともない。
【００３９】
回転体１７の突起１７１に捕捉された成形品Ｐは、その移送の終端位置である受け渡し位置２３まで移送される。保持体１８における、受け渡し位置２３に対応する部位は、後述する搬送装置Ｃ１の回転体２４との干渉を避けるべく、回転体２４の外周縁に沿って円弧状に切り欠いてある。即ち、受け渡し位置２３では、回転体１７の外周部と保持体１８とが平面視重なり合わない。従って、受け渡し位置２３に到達した各成形品Ｐは、保持体１８による下方からの支持を失い、突起１７１間の空隙から脱落して、モジュールＢの下流に直結するモジュールＣの搬送装置Ｃ１にその順番を崩すことなく受け渡される。
【００４０】
回転体１７の外周部における、受け渡し位置１６から受け渡し位置２３までの成形品Ｐの搬送区間内の一部の区域には、モジュールＢにおける処理装置として、成形品Ｐに付着している粉塵を除去する粉塵除去装置Ｂ２を設置している。
【００４１】
回転体１７には予め、突起１７１間の空隙を外部に連通せしめる連通孔１７２が穿たれている。連通孔１７２は、各空隙よりも回転体１７の径方向に沿って内側方に所在し、回転体１７を上下方向に沿って貫通し、回転体１７の周方向に沿って拡張した長孔である。連通孔１７２の数は、空隙の数と同数である。粉塵除去装置Ｂ２は、連通孔１７２、突起１７１間の空隙、及び回転体１７と外側のガイド２０との境界部位に上方から覆い被さっており、回転体１７の周方向に沿って拡張している。
【００４２】
図７に示すように、粉塵除去装置Ｂ２は、連通孔１７２の直上に位置しており図示しないポンプから供給される圧縮空気Ｋを連通孔１７２に向けて下方に噴出させる噴出ノズル２２１と、回転体１７と外側のガイド２０との境界部位の直上に位置しており図示しないポンプにより空気Ｋを上方に吸引する集塵口２２２とを具備している。圧縮空気Ｋは、予め除電器によりイオン化されていてもよく、またパルス状に噴出させてもよい。噴出ノズル２２１から供給される圧縮空気Ｋは、回転体１７の下面と内側のガイド２１の上面との間隙を通じて突起１７１間の空隙内に至り、この空隙に収容されている成形品Ｐの外面に吹き付けられて、成形品Ｐの外面に付着している粉塵を成形品Ｐから吹き飛ばして除去する。成形品Ｐに吹き当たった後の粉塵を含む空気Ｋは、回転体１７と外側のガイド２０との間隙から上方に漏出し、集塵口２２２に吸引される。
【００４３】
図２及び図４に示しているように、成形品受け渡し位置１６に臨む外側のガイド２０の始端部２０１には、モジュールＢが成形機Ａから順次取り出す成形品Ｐの重量と相関のある物理量を計測する重量計測装置Ａ２を設置してある。重量計測装置Ａ２は、テーブル３１の臼孔４から押し出された成形品Ｐがガイド２０の始端部２０１に衝突するときに当該始端部２０１が受ける力の大きさを検出するセンサを含む。センサＡ２としては、薄板状をなすひずみゲージ式のロードセルを用いる。この種のロードセルＡ２は、成形品Ｐが始端部２０１に衝突することで生じる応力による始端部２０１のひずみ量を検出する。尤も、センサＡ２の具体的態様は任意であり、ひずみゲージには限定されない。例えば、センサＡ２として、成形品Ｐが始端部２０１に衝突することで当該始端部２０１が変位する量を検出する態様のセンサを採用しても構わない。
【００４４】
重量計測装置Ａ２のセンサが発する出力信号は、制御装置０が受信する。センサＡ２を介して検出される、成形品Ｐがガイド２０の始端部２０１に衝突するときに当該始端部２０１が受ける力の大きさｆと、当該始端部２０１に衝突した成形品Ｐの重量ｍとの間の関係式として、例えば下記のものを適用できる：
ニュートンの運動方程式より、ｍ≒ｆ／ａ
ｆ［Ｎ］はセンサＡ２が衝突する成形品Ｐから受ける力
ａ［ｍ／ｓ2］は成形品ＰがセンサＡ２に衝突したときの減速度
エネルギ保存則より、ｍ≒２ｋ／ｖ2
ｋ［Ｊ］はセンサＡ２を介して検出される成形品Ｐの運動エネルギであり、ｋ≒ｍｖ2／２
ｖ［ｍ／ｓ］はテーブル３１の臼孔４とともに回転移動する成形品Ｐの移動速度であり、ｖ≒２πｒｎ／６０
ｒ［ｍ］はテーブル３１の中心から臼孔４までの距離、即ち回転移動する成形品Ｐの回転半径
ｎ［ｒｐｍ］はテーブル３１を含む回転盤３の一分間あたりの回転数
成形機Ａ側の条件、例えば臼孔４に充填する粉体の種類及び量、回転盤３の回転数等が一定であるならば、センサＡ２を介して検出される圧力ｆまたはエネルギｋの増大が成形品Ｐの重量ｍの増加を意味し、圧力ｆの低減が成形品Ｐの重量ｍの減少を意味することになる。
【００４５】
制御装置０において上式に則り成形品Ｐの重量を算出することは簡便ではある。だが、成形機Ａの運用中の粉体の飛散その他の経時変化や、テーブル３１に対するガイド２０の組み付けの状態等により、重量の算出結果に誤差が混入する可能性がある。成形品Ｐの重量計測の誤差を小さくするためには、標本（又は、標準物質）として成形品Ｐをサンプリングして、その重量を電子天秤等のはかりＡ３を使用して実際に計測する。そして、標本となった成形品Ｐがガイド２０の始端部２０１に衝突したときのセンサＡ２の出力信号と、はかりＡ３を使用して実測した同成形品Ｐの重量とを組として検量線データとする。検量線データは、複数個、例えば数十個の成形品Ｐの標本について取得する。
【００４６】
制御装置０は、その検量線データの入力を受け付けてメモリに記憶する。検量線データの要素である、標本として選ばれた成形品Ｐが始端部２０１に衝突したときのセンサＡ２の出力信号は、当該センサＡ２から直接受信できる。同成形品Ｐの重量の実測値は、はかりＡ３から受信できる。但し、制御装置０が、検量線データを格納している記録媒体から読み出したり、人が操作可能な入力装置を介して行う入力（手入力や音声入力等）を受け付けたり、電気通信回線を介して受信したりする形で、検量線データの入力を受け付けることもあり得る。
【００４７】
しかして、制御装置０は、複数個の成形品Ｐの標本について得た、標本と同数の検量線データに対して、回帰分析や内挿等による直線当てはめ又は曲線当てはめを行い、センサＡ２の出力信号と成形品Ｐの重量との関係式である検量線を求める。そして、本システムの実運用時に、成形品Ｐがガイド２０の始端部２０１に衝突したときにセンサＡ２が出力する信号値を当該関係式に代入することにより、当該成形品Ｐの重量を精度よく算出することができる。
【００４８】
成形機Ａで成形した成形品Ｐは、その全数が順次ガイド２０の始端部２０１に衝突する。故に、成形機Ａで成形した成形品Ｐの全数について、重量計測装置Ａ２によりその重量を計測することができる。
【００４９】
モジュールＢに後続するモジュールＣの搬送装置Ｃ１は、成形品Ｐの受け渡し位置２３にて取出装置Ｂ１から成形品Ｐを受け取り、成形品Ｐに対して次の工程を実施する処理装置Ｃ２１、Ｃ２２、Ｃ３、Ｃ４に向けて搬送する。取出装置Ｂ１と搬送装置Ｃ１との間で成形品Ｐを受け渡しする際にも、成形機Ａにおいて成形品Ｐを成形した順番は依然として維持される。図８ないし図１１に示すように、搬送装置Ｃ１は、取出装置Ｂ１の回転体１７と同期して垂直軸回りに水平回転する移送体たる回転体２４を主体とする。
【００５０】
回転体２４は、図中時計回りに回転する回転体１７に対して、図中反時計回りに回転する。回転体１７の回転と回転体２４の回転とを同期させるためには、例えば、回転体１７の回転軸と回転体２４の回転軸とを、歯車伝動機構又は巻掛伝動機構等を介して機械的に接続して連動させるようにする。あるいは、回転体２４を回転させるモータをサーボモータ又はステッピングモータとし、かつロータリエンコーダ等の角位置センサを用いて回転体１７及び回転体２４の各々の回転角度及び回転速度を検出して、両者の回転が同期するようにモータの回転速度をフィードバック制御することとしてもよい。
【００５１】
回転体２４は、当該回転体２４の回転軸の方向即ち上下方向から見た平面視において略円板状をなす。より具体的には、この回転体２４は、外径の大きさの異なる二枚の円板体２４０、２４１を、外径がより小さい円板体２４０を外径がより大きい円板体２４１の上に重ね合わせ、両者２４０、２４１を剛結し一体化することによって構成される。従って、当該回転体２４の基部即ち上方の円板体２４０の外周縁から、下方の円板体２４１の外周部２４２が、回転体２４の回転軸と直交する径方向に沿って外側方に張り出す。この外周部２４２が、当該回転体２４のフランジとなる。
【００５２】
回転体２４の基部２４０の外周面には、径方向に沿って内側方に凹みかつ外側方に開口するポケット２４３を形成している。基部２４０の外周縁は、概ね円形状をなしつつも、ポケット２４３の部分だけ回転体２４の回転軸に近づく方向に凹む。そして、フランジ２４２における、回転軸の方向に沿った一方側即ち下方からポケット２４３に臨む位置に、周縁の閉じた吸着孔２４４を開設している。吸着孔２４４は、回転体２４において成形品Ｐを捕捉する捕捉部として機能する。回転体２４を上下方向から見て、吸着孔２４４は、その少なくとも一部がポケット２４３と重なり合い、ポケット２４３に向けて上方に開口する。平面視において、吸着孔２４４の内側方の周縁は、ポケット２４３の内壁面に沿っている。また、吸着孔２４４は、フランジ２４２を上下方向に貫通している貫通孔である。
【００５３】
ポケット２４３及び吸着孔２４４は、回転体２４の外に沿って、即ち回転体２４の回転軸回りの周方向に沿って、所定の間隔を隔てて間欠的に配置されている。これらポケット２４３及び吸着孔２４４は、回転体２４と一体となって回転することは言うまでもない。モジュールＢの取出装置Ｂ１からモジュールＣの搬送装置Ｃ１に受け渡される成形品Ｐは、回転体２４のポケット２４３及び吸着孔２４４に係合し、吸着孔２４４に捕捉された状態で移送される。
【００５４】
図９に示すように、搬送装置Ｃ１の回転体２４の外周部のフランジ２４２の上面は、モジュールＢの取出装置Ｂ１の回転体１７の下面よりも低位置にあり、保持体１８の上面と略等しい高さ位置にある。そして、回転体２４の基部２４０の外周及びポケット２４３が、回転体１７の突起１７１間の空隙と水平方向に対向するようにこれと略等しい高さ位置にある。その上で、平面視回転体２４のフランジ２４２の一部が回転体１７の一部に下方から重なり、両者が上下方向に対向する。回転体１７の下面から突出する突起１７１の先端は、保持体１８の上面及びフランジ２４２の上面に極接近する。回転体１７及び回転体２４の同期回転に伴い、各突起１７１間の空隙と、吸着孔２４４とは、受け渡し位置２３において一時的に重なり合う。
【００５５】
回転体２４のフランジ２４２との干渉を避けるべく、保持体１８における、フランジ２４２と回転体１７とが平面視重なり合う受け渡し位置２３に対応する部位は、フランジ２４２の外周縁に沿って円弧状に切り欠いてある。保持体１８の当該部位の端縁は、フランジ２４２の外周縁に極近接しており、成形品Ｐが取出装置Ｂ１の保持体１８の上面から搬送装置Ｃ１の回転体２４のフランジ２４２の上面に円滑に移乗することができる。
【００５６】
受け渡し位置２３では、回転体１７の突起１７１間の空隙内に収容され突起１７１に押されながら移送されていた成形品Ｐが、回転体１７の回転に伴って、保持体１８上から回転体２４のフランジ２４２上へと遷移する。このとき、成形品Ｐは、回転体２４に形成されているポケット２４３に入り込み、かつ吸着孔２４４に捕捉される。成形品Ｐは、一つ一つの吸着孔２４４に一個ずつ収容される。これにより、取出装置Ｂ１の回転体１７の突起１７１間の空隙が並ぶ順番に、換言すれば成形機Ａにおいて成形品Ｐを圧縮成形した順番を崩さずに、各吸着孔２４４に一個ずつ成形品Ｐを順番に係合させることができる。取出装置Ｂ１の回転体１７から搬送装置Ｃ１の回転体２４への成形品Ｐの受け渡しの過程で、成形品Ｐの上面と下面とが裏返ることはない。
【００５７】
吸着孔２４４に捕捉された成形品Ｐは、回転体２４の回転に伴い、吸着孔２４４の回転の軌跡に沿って移送される。各成形品Ｐは、各吸着孔２４４内において、回転体２４及び吸着孔２４４に対する相対位置が略一定となる。成形品Ｐは、回転体２４の回転により遠心力の作用を受けるが、吸着孔２４４に吸着してその変位が阻まれ、外側方に飛び出さない。また、成形品Ｐの移送の過程で、成形品Ｐの上面と下面とが裏返らない。
【００５８】
最終的に、吸着孔２４４に捕捉された成形品Ｐは、その移送の終端位置である受け渡し位置２７まで移送される。受け渡し位置２７に到達した成形品Ｐは、モジュールＣの搬送装置Ｃ１から、当該モジュールＣの下流に直結するモジュールＤの搬送装置Ｄ１に受け渡される。
【００５９】
以降、回転体２４のポケット２４３及び吸着孔２４４に成形品Ｐを吸着する機構について述べる。ポケット２４３内及び吸着孔２４４内にはそれぞれ負圧が供給され、これにより成形品Ｐをポケット２４３及び吸着孔２４４に吸着することができる。図８ないし図１１に示すように、回転体２４には予め、ポケット２４３内に負圧を供給するための吸引通路２４５１、２４５２が穿たれている。吸引通路２４５１、２４５２は、その始端がポケット２４３の内壁面における最も内側方の箇所に開口し、そこから回転体２４の内部を回転体２４の回転軸に向かって内側方に伸長する内部通路２４５１と、内部通路２４５１の終端に向けて回転体２４をその下面から上方に掘削することで内部通路２４５１を回転体２４の下面側に開通させる吸引口２４５２とを有する。詳細には、内部通路２４５１は、回転体２４の基部である上方の円板体２４０の下面に形成した下方に開口する溝である。この溝２４５１は、円板体２４０の下面に接合する円板体２４１によって下方から閉塞される。そして、吸引口２４５２は、下方の円板体２４１における内部通路２４５１の終端の直下に位置する部位を上下方向に貫通している貫通孔である。この吸引通路２４５１、２４５２により、ポケット２４３内が、回転体２４の下面におけるポケット２４３よりも内側方に偏倚した吸引口２４５２の位置に連通することとなる。吸引通路２４５１、２４５２の数は、ポケット２４３及び吸着孔２４４の組の数と同数である。
【００６０】
ポケット２４３内に負圧を供給するためには、吸引口２４５２から内部通路２４５１及びポケット２４３内の雰囲気を吸引すればよい。回転体２４の下方には、平面視回転体２４の外周に沿って半円弧状をなすように拡張した、負圧供給用のダクト２５を設置している。ダクト２５は、回転体２４の下面に極近接する頂壁２５１と、頂壁２５１の内側端及び外側端からそれぞれ垂下する側壁２５２と、それら側壁２５２の下端同士を連接する底壁２５３とで、その内部空間を囲繞している筒状体である。このダクト２５の内部空間は、図示しないポンプにより吸引されて負圧化している。
【００６１】
ダクト２５の頂壁２５１における、吸引口２４５２の直下に位置する部位には、平面視回転体２４の回転軸を中心とした部分円弧状をなす二つのスロット孔２５４、２５６を形成してある。スロット孔２５４、２５６は何れも、頂壁２５１を上下方向に貫通している。各スロット孔２５４、２５６は、回転体２４の回転に伴い各吸込口２４５２が移動する軌跡に沿って拡張している。前者のスロット孔２５４の拡張範囲は、回転体２４の回転方向に沿って、取出装置Ｂ１から成形品Ｐを受け取る受け渡し位置２３よりも上流側から、同受け渡し位置２３の下流の所定位置までの範囲に亘る。後者のスロット孔２５６の拡張範囲は、回転体２４の回転方向に沿って、搬送装置Ｄ１に成形品Ｐを受け渡す受け渡し位置２７よりも上流側から、同受け渡し位置２７の直前の位置までの範囲に亘る。
【００６２】
ポケット２４３内に負圧が供給される、即ちポケット２４３内が吸引されるのは、ポケット２４３と接続している吸引通路２４５１、２４５２の吸引口２４５２が何れかのスロット孔２５４、２５６の直上に所在している時期、即ち負圧化したダクト２５の内部空間とポケット２４３内とが連通している時期に限られる。吸引口２４５２がスロット孔２５４、２５６の存在しない位置にあるときには、ダクト２５の内部空間と吸引口２４５２との間に頂壁２５１が介在し、ダクト２５の内部空間とポケット２４３とが隔絶されて、ポケット２４３内が吸引されない。
【００６３】
そして、ダクト２５は、吸着孔２４４内に負圧を供給する役割をも担っている。ダクト２５の頂壁２５１における、吸着孔２４４の直下に位置する部位には、平面視回転体２４の回転軸を中心とした部分円弧状をなすスロット孔２５５を形成してある。スロット孔２５５もまた、頂壁２５１を上下方向に貫通している。スロット孔２５５は、回転体２４の回転に伴い各吸着孔２４４が移動する軌跡に沿って拡張している。スロット孔２５５の拡張範囲は、回転体２４の回転方向に沿って、取出装置Ｂ１から成形品Ｐを受け取る受け渡し位置２３の直後の位置から、搬送装置Ｄ１に成形品Ｐを受け渡す受け渡し位置２７の直前の位置までの範囲に亘る。
【００６４】
吸着孔２４４内に負圧が供給される、即ち吸着孔２４４内が吸引されるのは、吸着孔２４４がスロット孔２５５の直上に所在している時期、即ち負圧化したダクト２５の内部空間と吸着孔２４４内とが連通している時期に限られる。吸着孔２４４がスロット孔２５５の存在しない位置にあるときには、頂壁２５１によりダクト２５の内部空間と吸着孔２４４とが隔絶されて、吸着孔２４４内が吸引されない。
【００６５】
搬送装置Ｃ１の回転体２４のポケット２４３及び吸着孔２４４の組に、取出装置Ｂ１の回転体１７の突起１７１間の空隙に捕捉された成形品Ｐを受け渡す過程では、まず、受け渡し位置２３の上流にあって成形品Ｐを保持していないポケット２４３及び吸着孔２４４の組が受け渡し位置２３に向かって移動する。そして、これらが受け渡し位置２３の直前の位置に至った時点で、そのポケット２４３と内部通路２４５１を介して接続している吸引口２４５２がスロット孔２５４の直上に到達し、負圧供給用のダクト２５による当該ポケット２４３内の吸引が開始される。この時点で、当該ポケット２４３と組になっている吸着孔２４４は未だスロット孔２５５の直上には到達しておらず、吸着孔２４４内は吸引されない。
【００６６】
成形品Ｐの受け渡し位置２３に至ったポケット２４３及び吸着孔２４４の組のうち、ポケット２４３内は吸引されているが、吸着孔２４４内は吸引されていない。従って、回転体１７の突起１７１間の空隙に捕捉されて受け渡し位置２３に到着した成形品Ｐは、ポケット２４３に向かって、回転体２４の回転軸に接近する内側方に吸引されて、ポケット２４３に係合する。これにより、当該成形品Ｐが、吸着孔２４４に対して一定の相対位置に位置決めされる。
【００６７】
成形品Ｐを吸着したポケット２４３及びこれと組となる吸着孔２４４が、受け渡し位置２３から下流に移動すると、その吸着孔２４４がスロット孔２５５の直上に到達し、負圧供給用のダクト２５による当該吸着孔２４４内の吸引が開始される。結果、ポケット２４３に吸着している成形品Ｐが、吸着孔２４４にも吸着する状態となる。この時点では、ポケット２４３と内部通路２４５１を介して接続している吸引口２４５２が依然としてスロット孔２５４の直上に位置しており、ポケット２４３及び吸着孔２４４の双方に負圧が供給されている。
【００６８】
回転体２４が回転し、成形品Ｐを吸着したポケット２４３及び吸着孔２４４がさらに下流に移動すると、当該ポケット２４３と内部通路２４５１を介して接続している吸引口２４５２がスロット孔２５４の直上から離脱するため、ポケット２４３内は吸引されなくなり、よって成形品Ｐはポケット２４３には吸着しなくなる。一方で、成形品Ｐを吸着している吸着孔２４４は依然としてスロット孔２５５の直上に位置しているので、成形品Ｐは当該吸着孔２４４に吸着しながら捕捉され続ける。
【００６９】
成形品Ｐを吸着した吸着孔２４４が下流に移動して、搬送装置Ｄ１に成形品Ｐを受け渡す受け渡し位置２７に近づくと、当該吸着孔２４４と組となっているポケット２４３と内部通路２４５１を介して接続している吸引口２４５２がスロット孔２５６の直上に到達し、負圧供給用のダクト２５による当該ポケット２４３内の吸引が開始され、一時的ではあるが成形品Ｐが当該ポケット２４３にも吸着する状態となる。
【００７０】
その後、成形品Ｐを吸着したポケット２４３及び吸着孔２４４が受け渡し位置２７の直前の位置に至った時点で、その吸着孔２４４がスロット孔２５５の直上から離脱し、吸着孔２４４内が吸引されなくなり、成形品Ｐは吸着孔２４４に吸着しなくなる。そして、それと略同時ないしその直後の時点で、成形品Ｐを吸着したポケット２４３と内部通路２４５１を介して接続している吸引口２４５２がスロット孔２５６の直上から離脱し、ポケット２４３内が吸引されなくなり、成形品Ｐはポケット２４３にも吸着しなくなる。この状態で、搬送装置Ｃ１の回転体２４から搬送装置Ｄ１の回転体２８への成形品Ｐの受け渡しが行われる。
【００７１】
回転体２４の外周部における、受け渡し位置２３から受け渡し位置２７までの成形品Ｐの搬送区間内の一部の区域には、モジュールＣにおける処理装置として、成形品Ｐへの異物の混入の有無を検査する異物検査装置Ｃ２１、成形品Ｐの含有成分その他の品質を検査する品質検査装置Ｃ２２、成形品Ｐの外面の画像を撮影してその状態を検査する外面検査装置Ｃ３、及び成形品Ｐの外面の形状及び位置を検出する形状検査装置Ｃ４を設置している。なお、品質検査装置Ｃ２２は成形品Ｐの密度を計測する密度計測装置を構成し、形状検査装置Ｃ４はモジュールＤの形状検査装置Ｄ４とともに成形品Ｐの体積を計測する体積計測装置を構成する。
【００７２】
図１０に示すように、異物検査装置Ｃ２１は、搬送装置Ｃ１が搬送する成形品Ｐの移動の軌跡と平面視重なり合う位置に設置した受光素子であるセンサ２６２及び光源２６１の組を要素とする。センサ２６２及び光源２６１は、成形品Ｐ及び成形品Ｐを搬送する回転体２４を挟んで、回転体２４の回転軸の方向である上下方向に沿って対向するように配置される。そして、光源２６１から放たれた光若しくは電磁波（レーザであることがある）のうち成形品Ｐを透過した透過光Ｌ１を信号光としてセンサ２６２に入射させ、その信号光Ｌ１を分析することで、成形品Ｐに異物が混入していないかを検査する。検査の具体的手法については、既知のそれを採用することができる。例えば、透過光Ｌ１をセンサ２６２で受光して得られる透過光像の中で、異物が成形品Ｐとは異なる色又は画素値の影として映るならば、これを画像解析により検出することで、成形品Ｐに混入した異物の存在を感知できる。
【００７３】
品質検査装置Ｃ２２は、異物検査装置Ｃ２１と同一の区域に所在する。品質検査装置Ｃ２２は、搬送装置Ｃ１が搬送する成形品Ｐの移動の軌跡と平面視重なり合う位置に設置した受光素子であるセンサ２６３及び光源２６１の組を要素とする。品質検査装置Ｃ２２の光源２６１は、異物検査装置Ｃ２１の光源２６１と共通するものであってもよく、異物検査装置Ｃ２１の光源２６１とは別個のものであってもよいが、図示例では共通のものとしている。品質検査装置Ｃ２２は、光源２６１から放たれた光若しくは電磁波のうち、吸着孔２４４に捕捉されて移送される各成形品Ｐの所定の面、例えば上面で反射した反射光Ｌ２を信号光としてセンサ２６３に入射させ、その信号光Ｌ２を分析することで、成形品Ｐの成分その他の品質が適正であるか否を検査する。検査の具体的手法については、既知のそれを採用することができる。例えば、センサ２６３で受光した反射光Ｌ２の分光スペクトルを得、その分光スペクトルを参照して、換言すれば成形品Ｐによる光の吸収及び／又は散乱を計測して、成形品Ｐに含まれる有効成分（又は、主薬、主剤）の濃度や、有効成分に添加されている添加剤（賦形剤、滑沢剤、粉体同士を結合させる結合剤、水分を吸収することで成形品Ｐを崩れやすくする崩壊剤等）の濃度、有効成分と添加剤との割合、有効成分と添加剤との混合の度合い（粉体の均一性、偏析が生じていないかどうか）、成形品Ｐの密度、成形品Ｐの硬度、その他の定性的又は定量的な分析を行う。
【００７４】
使用する光若しくは電磁波の波長、つまりは光源２６１から供給する光若しくは電磁波としては、例えば、賦形剤や滑沢剤のピークがなく有効成分の特異的な吸収ピークである波長帯を利用する。この光若しくは電磁波は、近赤外光であることがある。その場合、品質検査装置Ｃ２２は、近赤外分光分析法によって成形品Ｐの品質を分析することができる。また、異物検査装置Ｃ２１において、成形品Ｐに混入した毛髪や虫等の生体由来の異物を検出することが容易となる。無論、異物検査装置Ｃ２１により、金属その他の異物を検出することを妨げるものではない。近赤外光は、可視光又は紫外線、Ｘ線等と比較して、成形品Ｐが含有する有効成分等を破壊することが少ない。それ故、品質検査を経た成形品Ｐの商品価値が失われず、これをそのまま製品として市場に供給することができる。紫外線や放射線は人体に有害であり防護が必要となるが、近赤外光にはそのようなデメリットがない。
【００７５】
図１０に示しているように、側面視又は側断面視において、異物検査装置Ｃ２１のセンサ２６２と、品質検査装置Ｃ２２のセンサ２６３とは、成形品Ｐ及び成形品Ｐを搬送する回転体２４を挟むようにして、上下方向に沿って対向するように配置される。そして、一方のセンサ２６２が成形品Ｐの移動の軌跡における特定の位置を通過する成形品Ｐからの透過光Ｌ１を受光するのと同時若しくは略同時に、他方のセンサ２６３が当該位置を通過する同じ成形品Ｐからの反射光Ｌ２を受光し、又は、成形品Ｐの移動の軌跡に沿って当該位置のすぐ上流若しくはすぐ下流の位置を通過する別の成形品Ｐ（特に、当該位置を通過する成形品Ｐの近隣の成形品Ｐ、即ち当該位置を通過する成形品Ｐが係合している吸着孔２４４に隣接するかその付近にある吸着孔２４４に係合している成形品Ｐ）からの反射光Ｌ２を受光する。その上で、異物検査装置Ｃ２１が当該位置を通過する成形品Ｐへの異物の混入の有無を検査するのと同時若しくは略同時に、品質検査装置Ｃ２２が同じ成形品Ｐ又はその近隣の成形品Ｐの含有成分その他の品質を検査する。
【００７６】
図１１に示すように、外面検査装置Ｃ３は、吸着孔２４４に捕捉されて移送される各成形品Ｐの所定の面、例えば上面を撮影し、その画像を取得するカメラセンサを有する。取得した画像は、成形品Ｐの外面の状態の検査に使用することができる。即ち、撮影した画像を解析し、又は正常な成形品Ｐの画像と比較する等して、成形品Ｐの外面の状態が正常であるか不良であるかを判定することができる。
【００７７】
外観検査装置Ｃ３のカメラは、成形品Ｐの上面を撮影するに限らず、成形品Ｐの下面をも撮影するようにしてもよい。成形品Ｐの上面／下面を撮影した画像を解析し、成形品Ｐの幅、長さ、直径、面積等を測定することもできる。また、成形品Ｐの側面を撮影し、その状態が正常であるか不良であるかを判定することもできる。成形品Ｐの側面を撮影した画像を解析し、成形品Ｐの厚み（又は、高さ）寸法を測定することもできる。外観検査装置Ｃ３における処理は、これらのうち何れかひとつを採用するに限らず、複数の処理を併合するようにしてもよい。
【００７８】
成形品Ｐを捕捉する吸着孔２４４は、回転体２４のフランジ２４２を上下に貫通しており、光源２６１とセンサ２６２とのうちの一方がフランジ２４２の直上に、他方がフランジ２４２の直下に位置している。さらに、上下方向から見た平面視において、吸着孔２４４の周縁は一周連続して閉じており、その周縁がこれに吸着される成形品Ｐの外縁よりも内に収まる寸法及び形状をなしている。成形品Ｐを捕捉する吸着孔２４４が異物検査装置Ｃ２１及び品質検査装置Ｃ２２、並びに外面検査装置Ｃ３の所在する区域を通過するときには、当該吸着孔２４４の内にダクト２５から負圧が供給されていることから、成形品Ｐが当該吸着孔２４４にぴったりと付着して、吸着孔２４４の周縁と成形品Ｐの外縁との間に隙間が生じない。
【００７９】
このため、異物検査装置Ｃ２１においては、成形品Ｐを透過した信号光Ｌ１が吸着孔２４４を通じて適切にセンサ２６２に入射する一方、信号光Ｌ１以外の迷光即ち成形品Ｐを透過しなかった光は回転体２４及びフランジ２４２によって遮蔽され、センサ２６２に入射することが抑制される。吸着孔２４４に吸着されて保定された成形品Ｐは、回転体２４の回転方向に沿って搬送されながらも、回転体２４及び吸着孔２４４に対する相対的な位置が一定化する。このことは、成形品Ｐに光若しくは電磁波を照射して成形品Ｐを透過した信号光Ｌ１を分析する処理や、成形品Ｐで反射した反射光Ｌ２を分析する処理、成形品Ｐをカメラで撮影して外面検査をする処理等のために有効である。
【００８０】
形状検査装置Ｃ４は、吸着孔２４４に捕捉されて移送される各成形品Ｐの所定の面、例えば上面の形状及び位置を検出する。本実施形態にあって、形状検査装置Ｃ４は、既知の光切断法により、成形品Ｐの上面の形状及び位置の測定を実行する。図１６に示すように、形状検査装置Ｃ４は、移送される成形品Ｐの上面に向けてスリット状又はライン状の光若しくは電磁波であるラインビーム（レーザであることがある）を照射する光源２６４と、そのラインビームにより照明される結果成形品Ｐの上面に現れる光切断線（輝線）ＰＬ、即ち成形品Ｐの上面におけるラインビームの反射光により（センサ２６５にとって）輝いて見える箇所を撮影する受光素子であるカメラセンサ２６５とを有する。当該センサ２６５を介して一時に撮影される画像上には、対象の成形品Ｐの上面の表面形状に沿って湾曲又は屈曲した輝く光切断線ＰＬが映し出される。この画像内の光切断線ＰＬの位置座標を基に、成形品Ｐの上面における、成形品Ｐの移動方向と交差又は直交する方向に伸びる一次元領域上の（一本の光切断線ＰＬ分の）各所の三次元位置座標を得ることができる。
【００８１】
しかして、回転体２４の回転に伴い、吸着孔２４４とともにこれに補足されている成形品Ｐが、その回転軌跡に沿って、形状検査装置Ｃ４の光源２６４及びセンサ２６５に対して相対的に所定方向に移動する。その移動方向は一定であり、局所的に見て略直線方向とみなすこともできる。結局、成形品Ｐの上面がラインビーム及び光切断線ＰＬによって走査され、その過程でセンサ２６５が短周期で反復的に光切断線ＰＬを含む撮影画像を取得することにより、成形品Ｐの上面全体の各所の三次元位置座標を得る。結果として、形状検査装置Ｃ４が、微細な凹凸を含む、成形品Ｐの上面の形状及び高さ位置を測定することとなる。
【００８２】
尤も、形状検査装置Ｃ４が、光切断法により成形品Ｐの上面の形状及び高さ位置を検出するとは限られない。例えば、成形品Ｐの上面の各所に向けてコヒーレントな光若しくは電磁波であるレーザを出射し、成形品Ｐで反射したレーザをセンサで受光するまでに要した時間を計測する態様の距離計（レーザ測距計）を利用して、成形品Ｐの上面の形状及び高さ位置を測定することもできる。形状検査装置Ｃ４が、位相シフト法、空間コード化法、モアレ法、ステレオマッチング法等によって成形品Ｐの上面の形状及び高さ位置を検出することも考えられる。
【００８３】
形状検査装置Ｃ４が使用する光若しくは電磁波の波長、つまりは光源２６４から供給する光若しくは電磁波は、近赤外光であることがある。既に述べたとおり、近赤外光は、成形品Ｐが含有する有効成分等を破壊することが少ない上、人体に有害でなく防護が必要とならない。
【００８４】
成形機Ａのテーブル３１、モジュールＢの取出装置Ｂ１の回転体１７、モジュールＣの搬送装置Ｃ１の回転体２４は、互いに同期して回転する。本実施形態の成形機Ａ及び処理装置の制御装置０は、成形機Ａの回転盤３、取出装置Ｂ１の回転体１７又は搬送装置Ｃ１の回転体２４に付随する角位置センサ（ロータリエンコーダ等）が出力する信号を参照することで、回転体２４の回転軸回りの周方向に沿って配列されている吸着孔２４４の各々が現在どの位置にあるのかを知得することができる。さらに言えば、成形機Ａのテーブル３１における何番目の臼孔４内で圧縮成形された成形品Ｐが、現在モジュールＣ内のどの位置にあるのかを知得することができる。これは、今重量計測装置Ａ２のセンサの前を通過した、今異物検査装置Ｃ２１や品質検査装置Ｃ２２のセンサ２６２、２６３の前を通過した、今外面検査装置Ｃ３のカメラの前を通過した、又は今形状検査装置Ｃ４のセンサ２６５の前を通過した成形品Ｐが、つまりは重量計測、異物検査、品質検査、外面検査又は形状検査を行った成形品Ｐが、何番目の臼孔４内で成形されたものであるのかが分かるということを意味する。制御装置０は、重量計測装置Ａ２、異物検査装置Ｃ２１、品質検査装置Ｃ２２、外面検査装置Ｃ３又は形状検査装置Ｃ４を介して成形品Ｐの計測又は検査を行った結果に係る情報（対象の成形品Ｐに異物が混入していないかどうか、対象の成形品Ｐの品質に異常がないか、対象の成形品Ｐの重量、外面の状態や形状が正常であるか不良であるか等の判定結果を含む）を、その対象の成形品Ｐが何番目の臼孔４で成形されたのかを示すＩＤ番号に関連づけて、記憶デバイスに記憶保持する。
【００８５】
モジュールＣに後続するモジュールＤの搬送装置Ｄ１は、成形品Ｐの受け渡し位置２７にて搬送装置Ｃ１から成形品Ｐを受け取り、成形品Ｐに対して次の工程を実施する処理装置Ｄ２、Ｄ４に向けて搬送する。搬送装置Ｃ１と搬送装置Ｄ１との間で成形品Ｐを受け渡しする際にも、成形機Ａにおいて成形品Ｐを成形した順番は依然として維持される。図１２ないし図１５に示すように、搬送装置Ｄ１は、搬送装置Ｃ１の回転体２８と同期して垂直軸回りに水平回転する移送体たる回転体２８を主体とする。
【００８６】
回転体２８は、図中反時計回りに回転する回転体２８に対して、図中時計回りに回転する。回転体２４の回転と回転体２８の回転とを同期させるためには、例えば、回転体２４の回転軸と回転体２８の回転軸とを、歯車伝動機構４２又は巻掛伝動機構等を介して機械的に接続して連動させるようにする。あるいは、回転体２８を回転させるモータをサーボモータ又はステッピングモータとし、かつロータリエンコーダ等の角位置センサを用いて回転体２４及び回転体２８の各々の回転角度及び回転速度を検出して、両者の回転が同期するようにモータの回転速度をフィードバック制御することとしてもよい。
【００８７】
回転体２８は、当該回転体２８の回転軸の方向即ち上下方向から見た平面視において略円板状をなす。より具体的には、この回転体２８は、外径の大きさの異なる二枚の円板体２８０、２８１を、外径がより大きい円板体２８１を外径がより小さい円板体２８０の上に重ね合わせ、両者２８０、２８１を剛結し一体化することによって構成される。従って、当該回転体２８の基部即ち下方の円板体２８０の外周縁から、上方の円板体２８１の外周部２８２が、回転体２８の回転軸と直交する径方向に沿って外側方に張り出す。この外周部２８２が、当該回転体２８のフランジとなる。
【００８８】
回転体２８の基部２８０の外周面には、径方向に沿って内側方に凹みかつ外側方に開口するポケット２８３を形成している。基部２８０の外周縁は、概ね円形状をなしつつも、ポケット２８３の部分だけ回転体２８の回転軸に近づく方向に凹む。そして、フランジ２８２における、回転軸の方向に沿った他方側即ち上方からポケット２８３に臨む位置に、周縁の閉じた吸着孔２８４を開設している。吸着孔２８４は、回転体２８において成形品Ｐを捕捉する捕捉部として機能する。回転体２８を上下方向から見て、吸着孔２８４は、その少なくとも一部がポケット２８３と重なり合い、ポケット２８３に向けて下方に開口する。平面視において、吸着孔２８４の内側方の周縁は、ポケット２８３の内壁面に沿っている。また、吸着孔２８４は、フランジ２８２を上下方向に貫通している貫通孔である。
【００８９】
ポケット２８３及び吸着孔２８４は、回転体２８の外に沿って、即ち回転体２８の回転軸回りの周方向に沿って、所定の間隔を隔てて間欠的に配置されている。これらポケット２８３及び吸着孔２８４は、回転体２８と一体となって回転することは言うまでもない。モジュールＣの搬送装置Ｃ１からモジュールＤの搬送装置Ｄ１に受け渡される成形品Ｐは、回転体２８のポケット２８３及び吸着孔２８４に係合し、吸着孔２８４に捕捉された状態で移送される。
【００９０】
図１３に示すように、搬送装置Ｄ１の回転体２８の外周部のフランジ２８２の下面は、モジュールＣの搬送装置Ｃ１の回転体２４の外周部のフランジ２４２の上面よりも高位置にある。そして、回転体２８の基部２８０の外周及びポケット２８３が、回転体２４の基部２４０及びポケット２４３と水平方向に対向するようにこれと略等しい高さ位置にある。その上で、平面視回転体２８のフランジ２８２の一部が回転体２４のフランジ２４２の一部に上方から重なり、両者が上下方向に対向する。回転体２４及び回転体２８の同期回転に伴い、吸着孔２４４と吸着孔２８４とは、受け渡し位置２７において一時的に重なり合う。回転体２４の基部２４０の上面は回転体２８のフランジ２８２の下面よりも若干低く、回転体２４のフランジ２４２の上面は回転体２８の基部２８０の下面よりも若干低いため、回転体２４と回転体２８とは干渉し合わない。
【００９１】
受け渡し位置２７では、回転体２４の吸着孔２４４に捕捉されて移送されていた成形品Ｐが、回転体２４のフランジ２４２上から回転体２８のフランジ２８２の直下へと遷移する。このとき、成形品Ｐは、回転体２８に形成されているポケット２８３に入り込み、かつ吸着孔２８４に捕捉される。成形品Ｐは、一つ一つの吸着孔２８４に一個ずつ収容される。これにより、搬送装置Ｃ１の回転体２４の吸着孔２４４が並ぶ順番に、換言すれば成形機Ａにおいて成形品Ｐを圧縮成形した順番を崩さずに、各吸着孔２８４に一個ずつ成形品Ｐを順番に係合させることができる。搬送装置Ｃ１の回転体２４から搬送装置Ｄ１の回転体２８への成形品Ｐの受け渡しの過程で、成形品Ｐの上面と下面とが裏返ることはない。
【００９２】
吸着孔２８４に捕捉された成形品Ｐは、回転体２８の回転に伴い、吸着孔２８４の回転の軌跡に沿って移送される。各成形品Ｐは、各吸着孔２８４内において、回転体２８及び吸着孔２８４に対する相対位置が略一定となる。成形品Ｐは、回転体２８の回転により遠心力の作用を受けるが、吸着孔２８４に吸着してその変位が阻まれ、外側方に飛び出さず、かつ吸着孔２８４から落下しない。また、成形品Ｐの移送の過程で、成形品Ｐの上面と下面とが裏返らない。
【００９３】
最終的に、吸着孔２８４に捕捉された成形品Ｐは、後述する排除装置Ｄ３によって排除されない限り、搬送装置Ｄ１による移送の終端位置Ｅまで移送される。そして、この終端位置Ｅにて回転体２８の吸着孔２８４から離脱し、成形品Ｐに対して次の工程を実施する装置に受け渡され、あるいは成形品Ｐを回収する容器等に向けて流下することとなる。
【００９４】
以降、回転体２８のポケット２８３及び吸着孔２８４に成形品Ｐを吸着する機構について述べる。ポケット２８３内及び吸着孔２８４内にはそれぞれ負圧が供給され、これにより成形品Ｐをポケット２８３及び吸着孔２８４に吸着することができる。図１２ないし図１５に示すように、回転体２８には予め、ポケット２８３内に負圧を供給するための吸引通路２８５１、２８５２が穿たれている。吸引通路２８５１、２８５２は、その始端がポケット２８３の内壁面における最も内側方の箇所に開口し、そこから回転体２８の内部を回転体２８の回転軸に向かって内側方に伸長する内部通路２８５１と、内部通路２８５１の終端に向けて回転体２８をその上面から下方に掘削することで内部通路２８５１を回転体２８の上面側に開通させる吸引口２８５２とを有する。詳細には、内部通路２８５１は、回転体２８の基部である下方の円板体２８０の上面に形成した上方に開口する溝である。この溝２８５１は、円板体２８０の上面に接合する円板体２８１によって上方から閉塞される。そして、吸引口２８５２は、上方の円板体２８１における内部通路２８５１の終端の直上に位置する部位を上下方向に貫通している貫通孔である。この吸引通路２８５１、２８５２により、ポケット２８３内が、回転体２８の上面におけるポケット２８３よりも内側方に偏倚した吸引口２８５２の位置に連通することとなる。吸引通路２８５１、２８５２の数は、ポケット２８３及び吸着孔２８４の組の数と同数である。
【００９５】
ポケット２８３内に負圧を供給するためには、吸引口２８５２から内部通路２８５１及びポケット２８３内の雰囲気を吸引すればよい。回転体２８の上方には、平面視回転体２８の外周に沿って半円弧状をなすように拡張した、負圧供給用のダクト２９を設置している。ダクト２９は、回転体２８の上面に極近接する底壁２９１と、底壁２９１の内側端及び外側端からそれぞれ起立する側壁２９２と、それら側壁２９２の上端同士を連接する頂壁２９３とで、その内部空間を囲繞している筒状体である。このダクト２９の内部空間は、図示しないポンプにより吸引されて負圧化している。
【００９６】
ダクト２９の底壁２９１における、吸引口２８５２の直上に位置する部位には、平面視回転体２８の回転軸を中心とした部分円弧状をなすスロット孔２９４を形成してある。スロット孔２９４は、底壁２９１を上下方向に貫通している。スロット孔は、回転体２８の回転に伴い各吸込口２８５２が移動する軌跡に沿って拡張している。スロット孔２９４の拡張範囲は、回転体２８の回転方向に沿って、搬送装置Ｃ１から成形品Ｐを受け取る受け渡し位置２７よりも上流側から、同受け渡し位置２７の下流の所定位置までの範囲に亘る。
【００９７】
ポケット２８３内に負圧が供給される、即ちポケット２８３内が吸引されるのは、ポケット２８３と接続している吸引通路２８５１、２８５２の吸引口２８５２がスロット孔２９４の直下に所在している時期、即ち負圧化したダクト２９の内部空間とポケット２８３内とが連通している時期に限られる。吸引口２８５２がスロット孔２９４の存在しない位置にあるときには、ダクト２９の内部空間と吸引口２８５２との間に底壁２９１が介在し、ダクト２９の内部空間とポケット２８３とが隔絶されて、ポケット２８３内が吸引されない。
【００９８】
そして、ダクト２９は、吸着孔２８４内に負圧を供給する役割をも担っている。ダクト２９の底壁２９１における、吸着孔２８４の直上に位置する部位には、平面視回転体２８の回転軸を中心とした部分円弧状をなすスロット孔２９５を形成してある。スロット孔２９５もまた、底壁２９１を上下方向に貫通している。スロット孔２９５は、回転体２８の回転に伴い各吸着孔２８４が移動する軌跡に沿って拡張している。スロット孔２９５の拡張範囲は、回転体２８の回転方向に沿って、搬送装置Ｃ１から成形品Ｐを受け取る受け渡し位置２７から、搬送装置Ｄ１による成形品Ｐの搬送の終端位置Ｅの直前の位置までの範囲に亘る。
【００９９】
吸着孔２８４内に負圧が供給される、即ち吸着孔２８４内が吸引されるのは、吸着孔２８４がスロット孔２９５の直下に所在している時期、即ち負圧化したダクト２９の内部空間と吸着孔２８４内とが連通している時期に限られる。吸着孔２８４がスロット孔２９５の存在しない位置にあるときには、底壁２９１によりダクト２９の内部空間と吸着孔２８４とが隔絶されて、吸着孔２８４内が吸引されない。
【０１００】
搬送装置Ｄ１の回転体２８のポケット２８３及び吸着孔２８４の組に、搬送装置Ｃ１の回転体２４のポケット２４３及び吸着孔２４４に捕捉された成形品Ｐを受け渡す過程では、まず、受け渡し位置２７の上流にあって成形品Ｐを保持していないポケット２８３及び吸着孔２８４の組が受け渡し２７に向かって移動する。そして、これらが受け渡し位置２７の直前の位置に至った時点で、そのポケット２８３と内部通路２８５１を介して接続している吸引口２８５２がスロット孔２９４の直下に到達し、負圧供給用のダクト２９による当該ポケット２８３内の吸引が開始される。この時点で、当該ポケット２８３と組になっている吸着孔２８４は未だスロット孔２９５の直下には到達しておらず、吸着孔２８４内は吸引されない。
【０１０１】
他方、搬送装置Ｃ１においては、受け渡し位置２７の上流にあって成形品Ｐを保持しているポケット２４３及び吸着孔２４４の組が受け渡し２７に向かって移動する。そして、これらが受け渡し位置２７の直前の位置に至った時点で、その吸着孔２４４がダクト２５のスロット孔２５５の直上から離脱し、吸着孔２４４内が吸引されなくなり、成形品Ｐは吸着孔２４４に吸着しなくなる。さらに、それと略同時ないしその直後の時点で、成形品Ｐを吸着したポケット２４３と吸引通路２４５１、２４５２を介して接続している吸引口２４５２がスロット孔２５６の直上から離脱して、ポケット２４３内が吸引されなくなり、成形品Ｐはポケット２４３にも吸着しなくなる。従って、受け渡し位置２７に到着した成形品Ｐは、搬送装置Ｃ１の回転体２４のフランジ２４２に載せ置かれただけの、ポケット２４３にも吸着孔２４４にも拘束されていない状態となっている。
【０１０２】
搬送装置Ｄ１において、成形品Ｐを保持していないポケット２８３及び吸着孔２８４の組が成形品Ｐの受け渡し位置２７に至った時点で、その吸着孔２８４がスロット孔２９５の直下に到達し、負圧供給用のダクト２９による当該吸着孔２８４内の吸引が開始される。この時点では、ポケット２８３と内部通路２８５１を介して接続している吸引口２８５２が依然としてスロット孔２９４の直下に位置しており、ポケット２８３及び吸着孔２８４の双方に負圧が供給される。結果、受け渡し位置２７にて、搬送装置Ｃ１の回転体２４のフランジ２４２上の成形品Ｐが、搬送装置Ｄ１の回転体２８のポケット２８３に向かって、回転体２８の回転軸に接近する内側方に吸引されてフランジ２８２下に遷移し、ポケット２８３に係合する。これにより、当該成形品Ｐが、吸着孔２８４に対して一定の相対位置に位置決めされる。さらには、この成形品Ｐが、ポケット２８３だけでなく吸着孔２８４にも吸着する状態となる。
【０１０３】
回転体２８が回転し、成形品Ｐを吸着したポケット２８３及び吸着孔２８４の組が受け渡し位置２７から一定以上下流に移動すると、当該ポケット２８３と内部通路２８５１を介して接続している吸引口２８５２がスロット孔２９４の直下から離脱するため、ポケット２８３内は吸引されなくなり、よって成形品Ｐはポケット２８３には吸着しなくなる。一方で、成形品Ｐを吸着している吸着孔２８４は依然としてスロット孔２９５の直下に位置しているので、成形品Ｐは当該吸着孔２８４に吸着しながら捕捉され続ける。
【０１０４】
その後、成形品Ｐを吸着した吸着孔２８４が終端位置Ｅの直前の位置に至った時点で、その吸着孔２８４がスロット孔２９５の直下から離脱し、吸着孔２８４内が吸引されなくなり、成形品Ｐは吸着孔２８４に吸着しなくなる。従って、成形品Ｐが回転体２８の吸着孔２８４から離脱してフランジ２８２から落下し、成形品Ｐに対して次の工程を実施する装置に受け渡され、あるいは成形品Ｐを回収する容器等に向けて流下する。
【０１０５】
回転体２８の外周部における、受け渡し位置２７から終端位置Ｅまでの成形品Ｐの搬送区間内の一部の区域には、モジュールＤにおける処理装置として、成形品Ｐの外面の画像を撮影してその状態を検査する外面検査装置Ｄ２、及び成形品Ｐの外面の形状及び位置を検出する形状検査装置Ｄ４を設置している。なお、形状検査装置Ｄ４はモジュールＣの形状検査装置Ｃ４とともに成形品Ｐの体積を計測する体積計測装置を構成する。
【０１０６】
図１４に示すように、外面検査装置Ｄ２は、吸着孔２８４に捕捉されて移送される各成形品Ｐの所定の面、例えば下面を撮影し、その画像を取得するカメラセンサを有する。取得した画像は、成形品Ｐの外面の状態の検査に使用することができる。即ち、撮影した画像を解析し、又は正常な成形品Ｐの画像と比較する等して、成形品Ｐの外面の状態が正常であるか不良であるかを判定することができる。
【０１０７】
外観検査装置Ｄ２のカメラは、成形品Ｐの下面を撮影するに限らず、成形品Ｐの上面をも撮影するようにしてもよい。成形品Ｐの上面／下面を撮影した画像を解析し、成形品Ｐの幅、長さ、直径、面積等を測定することもできる。また、成形品Ｐの側面を撮影し、その状態が正常であるか不良であるかを判定することもできる。成形品Ｐの側面を撮影した画像を解析し、成形品Ｐの厚みを測定することもできる。外観検査装置Ｄ２における処理は、これらのうち何れかひとつを採用するに限らず、複数の処理を併合するようにしてもよい。
【０１０８】
上下方向から見た平面視において、吸着孔２８４の周縁は一周連続して閉じており、その周縁がこれに吸着される成形品Ｐの外縁よりも内に収まる寸法及び形状をなしている。その上で、成形品Ｐを捕捉する吸着孔２８４が外面検査装置Ｄ２の所在する区域を通過するときには、当該吸着孔２８４の内にダクト２９から負圧が供給されていることから、成形品Ｐが当該吸着孔２８４にぴったりと付着して、吸着孔２８４の周縁と成形品Ｐの外縁との間に隙間が生じない。吸着孔２８４に吸着されて保定された成形品Ｐは、回転体２８の回転方向に沿って搬送されながらも、回転体２８及び吸着孔２８４に対する相対的な位置が一定化する。このことは、成形品Ｐをカメラで撮影して外面検査をする処理等のために有効である。
【０１０９】
形状検査装置Ｄ４は、吸着孔２８４に捕捉されて移送される各成形品Ｐの所定の面、例えば下面の形状及び位置を検出する。本実施形態にあって、形状検査装置Ｄ４は、既知の光切断法により、成形品Ｐの下面の形状及び位置の測定を実行する。形状検査装置Ｄ４の仕組み及び機能は、モジュールＣの形状検査装置Ｃ４のそれと同様であり、ちょうど図１６を上下反転させたような構造をなすものであるので、ここでは説明を割愛する。
【０１１０】
尤も、形状検査装置Ｄ４が、光切断法により成形品Ｐの下面の形状及び高さ位置を検出するとは限られない。例えば、成形品Ｐの下面の各所に向けてコヒーレントな光若しくは電磁波であるレーザを出射し、成形品Ｐで反射したレーザをセンサで受光するまでに要した時間を計測する態様の距離計を利用して、成形品Ｐの下面の形状及び高さ位置を測定することもできる。形状検査装置Ｄ４が、位相シフト法、空間コード化法、モアレ法、ステレオマッチング法等によって成形品Ｐの下面の形状及び高さ位置を検出することも考えられる。
【０１１１】
形状検査装置Ｄ４が使用する光若しくは電磁波の波長、つまりは光源から供給する光若しくは電磁波は、近赤外光であることがある。既に述べたとおり、近赤外光は、成形品Ｐが含有する有効成分等を破壊することが少ない上、人体に有害でなく防護が必要とならない。
【０１１２】
成形機Ａのテーブル３１、モジュールＢの取出装置Ｂ１の回転体１７、モジュールＣの搬送装置Ｃ１の回転体２４、そしてモジュールＤの搬送装置の回転体２８は、互いに同期して回転する。成形機Ａ及び処理装置の制御装置０は、成形機Ａの回転盤３、取出装置Ｂ１の回転体１７、搬送装置Ｃ１の回転体２４又は搬送装置Ｄ１の回転体２８に付随する角位置センサ（ロータリエンコーダ等）が出力する信号を参照することで、回転体２８の回転軸回りの周方向に沿って配列されている吸着孔２８４の各々が現在どの位置にあるのかを知得することができる。さらに言えば、成形機Ａのテーブル３１における何番目の臼孔４内で圧縮成形された成形品Ｐが、現在モジュールＤ内のどの位置にあるのかを知得することができる。これは、今外面検査装置Ｄ２のカメラの前を通過した、又は今形状検査装置Ｄ４のセンサの前を通過した成形品Ｐが、つまりは外面検査又は形状検査を行った成形品Ｐが、何番目の臼孔４内で成形されたものであるのかが分かるということを意味する。制御装置０は、外面検査装置Ｄ２又は形状検査装置Ｄ４を介して成形品Ｐの検査又は測定を行った結果に係る情報（対象の成形品Ｐの外面の状態や形状が正常であるか不良であるか等の判定結果を含む）を、その対象の成形品Ｐが何番目の臼孔４で成形されたのかを示すＩＤ番号に関連づけて、記憶デバイスに記憶保持する。
【０１１３】
モジュールＣの品質検査装置Ｃ２２は、個々の成形品Ｐの密度を計測する密度計測装置として働く。並びに、モジュールＣの形状検査装置Ｃ４及びモジュールＤの形状検査装置Ｄ４は、個々の成形品Ｐの体積を計測する体積計測装置として働く。即ち、形状検査装置Ｃ４が成形品Ｐの上面の形状及び高さ位置を測定し、かつ形状検査装置Ｄ４が同じ成形品Ｐの下面の形状及び高さ位置を測定することから、両者の測定結果を突き合わせることで、対象の成形品Ｐの厚みが判明し、当該成形品Ｐの体積を算出することができる。さらに、成形品Ｐの密度及び体積から、当該成形品Ｐの重量を推測することができる。
【０１１４】
成形機Ａ及び処理装置の制御装置０は、上記の密度計測装置及び体積計測装置を介して成形品Ｐの密度、体積及び重量を計測又は算出した結果に係る情報（対象の成形品Ｐの密度、体積及び／又は重量が正常であるか不良であるか等の判定結果を含む）を、その対象の成形品Ｐが何番目の臼孔４で成形されたのかを示すＩＤ番号に関連づけて、記憶デバイスに記憶保持する。
【０１１５】
なお、本実施形態では、密度計測装置たる品質検査装置Ｃ２２が、成形品Ｐで反射した光若しくは電磁波Ｌ２を基に成形品Ｐの含有成分に関する検査及び密度の計測を行っていた。これに対し、密度計測装置たる品質検査装置が、成形品を透過した光若しくは電磁波を基に、成形品の含有成分に関する検査及び密度の計測を行うこともあり得る。
【０１１６】
透過光を参照する成形品の品質検査及び密度の計測では、反射光を参照するそれと同様に、センサで受光した透過光の分光スペクトルを得、その分光スペクトルを参照して、換言すれば成形品による光の吸収及び／又は散乱を計測して、成形品に含まれる有効成分の濃度や添加剤の濃度、有効成分と添加剤との割合、有効成分と添加剤との混合の度合い、成形品の密度、成形品の硬度、その他の定性的又は定量的な分析を行う。
【０１１７】
搬送装置Ｄ１の回転体２８の吸着孔２８４に捕捉された成形品Ｐは、通常、その移送の終端位置Ｅまで移送される。しかしながら、特定の成形品Ｐ、例えば不良品やサンプリング品を、終端位置Ｅまで移送する成形品Ｐ群から選り分けて排除又は回収したいという要望も存在する。
【０１１８】
そこで、図１２及び図１５に示すように、モジュールＤの搬送装置Ｄ１における、終端位置Ｅへと至る吸着孔２８４及び成形品Ｐの回転移動の軌跡の中途に、特定の成形品Ｐを排除するための排除装置Ｄ３を設置しておくことも好ましい。排除装置Ｄ３は、吸着孔２８４に係合している成形品Ｐに向けて圧縮空気Ｋを噴射する噴射ノズル３０１と、圧縮空気Ｋによって吹き飛ばされた成形品Ｐが落とし込まれるシュート３０２とを要素とする。噴射ノズル３０１及びシュート３０２は、成形品Ｐを吸着している吸着孔２８４を挟んで上下に対向するように配置されており、噴射ノズル３０１から噴射した圧縮空気Ｋにより吸着孔２８４に保持された成形品Ｐを吸着孔２８４から脱離させ、回転体２８のフランジ２８２から剥落する当該成形品Ｐをシュート３０２で受けて回収する。この圧縮空気Ｋの噴射量（単位時間あたりの流量）及び噴射圧力は、僅かでよい。なお、噴射ノズル３０１の回転体２８に対する相対的な位置や、噴射ノズル３０１から圧縮空気Ｋを噴射する向きは、成形品Ｐをフランジ２８２から剥落させることができる限りにおいて任意である。
【０１１９】
成形機Ａ及び処理装置の制御装置０は、回転体２８の各吸着孔２８４に係合している成形品Ｐが、成形機Ａにおける何番目の臼孔４内で成形されたものであるのかを把握している。そして、制御装置０は、成形品Ｐに対する各種の検査の結果、即ち圧縮成形時の圧縮圧力の異常の有無、異物の混入の有無、品質、外面、形状、密度、体積又は重量の異常の有無、等の情報を、各成形品Ｐ毎に、当該成形品Ｐが成形機Ａにおける何番目の臼孔４で成形されたのかを示すＩＤ番号に関連づけて記憶している。従って、制御装置０は、回転体２８の各吸着孔２８４に係合している成形品Ｐがそれそれ正常品であるか不良品であるかを認識しており、不良の成形品Ｐが係合している吸着孔２８４の現在位置を知得することができる。
【０１２０】
制御装置０は、不良の成形品Ｐを捕捉した吸着孔２８４が噴射ノズル３０１の近傍を通過するときに、圧縮空気Ｋの流通を制御するバルブ（噴射ノズル３０１に内蔵されていることがある）を開弁する制御信号を与え、噴射ノズル３０１から不良の成形品Ｐに向けて圧縮空気Ｋを噴射し、当該成形品Ｐを回転体２８から脱落させて排除する。シュート３０２に落ちた成形品Ｐは、終端位置Ｅには到達することができない。
【０１２１】
吸着孔２８４に吸着している成形品Ｐは、回転体２８の回転方向に沿って搬送されながらも、回転体２８及び吸着孔２８４に対する相対的な位置が一定化する。このことは、特定の吸着孔２８４に係合する成形品Ｐに圧縮空気Ｋを噴射してこれを排除又は抽出する処理のためにも有効である。
【０１２２】
本実施形態において、取出装置Ｂ１の回転体１７の回転軸、搬送装置Ｃ１の回転体２４の回転軸、及び搬送装置Ｄ１の回転体２８の回転軸は、歯車伝動機構を介して接続されており、これらは同期して回転する。回転体１７、２４、２８を回転駆動するモータは一基存在し、このモータは取出装置Ｂ１の回転体１７の回転軸に直結している。モータが出力する駆動力は、取出装置Ｂ１の回転体１７を回転させるとともに、歯車伝動機構を介して搬送装置Ｃ１、Ｄ１の回転体２４、２８の回転軸にも伝達されて、回転体２４、２８を回転させる。
【０１２３】
成形品Ｐを移送するモジュールＣ、Ｄでは、個々の成形品Ｐに対して光学的な検査を実施する。モジュールＣ、Ｄにおける品質検査装置Ｃ２２や外面検査装置Ｃ３、Ｄ２、形状検査装置Ｃ４、Ｄ４は、照明光源２６１、２６４から放射され、回転体２４、２８の吸着孔２４４、２８４に捕捉されている成形品Ｐの表層で反射した照明光若しくは電磁波Ｌ２、Ｌ３、ＰＬを受光するセンサ２６３、２６５を備える。これに対し、モジュールＣにおける異物検査装置Ｃ２１は、光源２６１から放射され、回転体２４の吸着孔２４４に捕捉されている成形品Ｐを透過した透過光若しくは電磁波Ｌ１を受光するセンサ２６２を備える。これら検査装置Ｃ２１、Ｃ２２、Ｃ３、Ｃ４、Ｄ２、Ｄ４による検査の精度を高めるためには、成形品Ｐの反射光Ｌ２、Ｌ３、ＰＬ又は透過光Ｌ１以外の光、特に回転体２４、２８に当たって乱反射した光が、検査装置Ｃ２１、Ｃ２２、Ｃ３、Ｃ４、Ｄ２、Ｄ４の要素である光学的なセンサ２６２、２６３、２６５に入射することを抑制することが要求される。
【０１２４】
そこで、本実施形態では、モジュールＣ、Ｄの搬送装置Ｃ１、Ｄ１の要素である回転体２４、２８における、少なくとも吸着孔２４４、２８４の周囲の部位の表面（特に、吸着孔２４４、２８４の内周面及びその開口縁に連なる円板体２４１、２８１の上下面、吸着孔２４４、２８４に臨むポケット２４３、２８３の内周面、ポケット２４３の周辺に位置する円板体２４０の上面、ポケット２８３の周辺に位置する円板体２８０の下面）に、光若しくは電磁波の反射を抑制する反射防止層を設けている。
【０１２５】
反射防止層は、例えば、回転体２４、２８を構成する部材である円板体２４０、２４１、２８０、２８１の表面に、光若しくは電磁波を吸収しその反射を低減する既知の反射防止効果のある塗料又は染料を塗布する（あるいは、円板体２４０、２４１、２８０、２８１を反射防止剤でコーティングする）ことで形成できる。ここで、塗布とは、円板体２４０、２４１、２８０、２８１の一部又は全部を反射防止塗料又は染料の溶解液中に浸漬することを含む。円板体２４０、２４１、２８０、２８１の略全体に反射防止塗料又は染料を塗布して、回転体２４、２８の略全域に反射防止層を設けることも好ましい。
【０１２６】
円板体２４０、２４１、２８０、２８１の素材がアルミニウム又はアルミニウム合金である場合、その表面に反射防止層を形成する処理は黒色アルマイト処理であることがある。周知の通り、アルマイト処理は、アルミニウム又はアルミニウム合金の表面を陽極酸化処理して酸化皮膜を生成するもので、その皮膜には無数の微細な孔が形成される。この皮膜に反射防止塗料又は染料を塗布することで、皮膜の表面のみならず微細孔の内にも反射防止効果のある着色剤（色素、顔料又は染料）が入り込んで付着する。このようなアルマイト着色では、塗料又は染料の塗布のみでは皮膜の微細孔の口が開いたままである可能性があるので、その孔を閉塞する封孔処理を別途施すことが好ましい。
【０１２７】
無論、反射防止塗料又は染料を塗布する代わりに、既知の反射防止フィルム又はシートを円板体２４０、２４１、２８０、２８１の表面に貼付して反射防止層を形成しても構わない。反射防止塗料、反射防止染料、反射防止フィルム又はシートは通常、黒色であるので、反射防止層を設けた回転体２４、２８の外表面は黒色となる。加えて、反射防止層の表面は、光若しくは電磁波の鏡面反射が抑制されて光沢のない、いわゆる艶消し状態となる。
【０１２８】
反射防止層を設けていない回転体２４、２８（の円板体２４０、２４１、２８０、２８１）の表面と比較して、反射防止層は、外面検査装置Ｃ３、Ｄ２の照明光源から放射される照明光の属する波長帯の光の反射率を低減し、異物検査装置Ｃ２１若しくは品質検査装置Ｃ２２の光源２６１から放射される光の属する波長帯の光の反射率を低減し、並びに、形状検査装置Ｃ４、Ｄ４の光源２６４から放射されるラインビームの属する波長帯の光の反射率を低減する。要するに、反射防止層は、可視光及び／又は赤外光の反射率を小さくする。反射防止層は、検査装置Ｃ２１、Ｃ２２、Ｃ３、Ｃ４、Ｄ２、Ｄ４の光源２６１、２６４から放たれる光以外の環境光を吸収してその反射を抑制する働きもする。
【０１２９】
回転体１７及び保持体１８を含む取出装置Ｂ１、回転体２４、２８及び吸引ダクト２５、２９を含む搬送装置Ｃ１、Ｄ１、取出装置Ｂ１及び搬送装置Ｃ１、Ｄ１の駆動源となるモータ、粉塵除去装置Ｂ２、異物検査装置Ｃ２１、品質検査装置Ｃ２２、外面検査装置Ｃ３、Ｄ２、形状検査装置Ｃ４、Ｄ４、並びに排除装置Ｄ３は、単一の支持体５１１に支持されて一個のユニットを構成している。そして、このユニットが、スライドレール機構を介して架台に支持されている。架台の下方には、床面に接地して転動するキャスタを装着しており、ユニットとともに架台を容易に移動させることができる。要するに、モジュールＢ、モジュールＣ及びモジュールＤがユニット及び架台を介して一体化され、これらモジュールＢ、Ｃ、Ｄが一体となって成形機Ａに対して着脱される。
【０１３０】
取出装置Ｂ１において成形品Ｐを収容する突起１７１間の空隙の寸法は、成形品Ｐそのものと比較して大きい。このため、成形機Ａのテーブル３１から取出装置Ｂの回転体１７への成形品Ｐの受け渡しの位置精度が厳しくならない。よって、モジュールＢ、Ｃ、Ｄの架台及びユニットの成形機Ａに対する据え付け位置の精度が顕著に高くなくとも、適正に成形品Ｐの取り出し及び移送を実行することができる。
【０１３１】
成形機Ａは、封じ込め（コンテインメント）容器内に収められる。また、処理装置の各モジュールＢ、Ｃ、Ｄも、封じ込め容器に収容されている。成形機Ａの封じ込め容器とモジュールＢ、Ｃ、Ｄの封じ込め容器とは、ジョイントを介して接続する。このジョイントは、成形機Ａを収容する封じ込め容器の内部空間と、モジュールＢ、Ｃ、Ｄを収容する封じ込め容器の内部空間とを連通させるとともに、前者の封じ込め容器と後者の封じ込め容器とを任意に着脱することができるものとなっている。成形機Ａのテーブル３１と取出機構Ｂ１の回転体１７とが平面視重なり合う成形品取出位置１６及びその周辺部位は、ジョイント内に収容される。
【０１３２】
封じ込め容器及びジョイントは、成形機Ａ及び各モジュールＢ、Ｃ、Ｄを収容している内部空間の雰囲気の封じ込め容器外への意図せざる漏洩を抑止する。成形品Ｐの成形、成形機ＡとモジュールＢとの間及び各モジュールＢ、Ｃ、Ｄ間での成形品Ｐの受け渡し、並びに成形品Ｐに対する後工程の処理、例えば成形品Ｐに付着した粉塵の除去や成形品Ｐの検査等は、おしなべて封じ込め容器内で実施される。後工程の処理の実施のために、成形品Ｐを系外排出する必要はない。従って、粉体を含む雰囲気が外部に漏出しない封じ込め環境を実現することができ、特に高薬理活性物質を含有する成形品Ｐの生産において有用となる。また、成形品Ｐへの汚染（コンタミネーション）も抑制することができる。
【０１３３】
モジュールＢ、Ｃ、Ｄに設けられる、成形品Ｐに対する後工程の処理を実施するための装置は、上述した例に限定されないことは言うまでもない。そのような装置の具体例としては、成形品Ｐにレーザ光を照射することでその外面に彫刻やレーザマーキングを施すレーザ加工機型の印字装置や、成形品Ｐの表面にインクジェット印刷を行うインクジェットプリンタ型の印刷装置、成形品ＰをＰＴＰ（Ｐｒｅｓｓ  Ｔｈｒｏｕｇｈ  Ｐａｃｋ）包装シートやＥＳＯＰ（Ｅａｓｙ  Ｓｅａｌ  Ｏｐｅｎ  Ｐａｃｋ）包装シート等に包装する包装装置、等を挙げることができる。
【０１３４】
本実施形態では、上下に貫通した臼孔４が設けられているテーブル３１、テーブル３１の臼孔４に粉体を充填する充填装置Ｘ、並びに臼孔４に充填された粉体を圧縮することで成形品Ｐを成形する上杵５及び下杵６を有する粉体圧縮成形機Ａと、粉体圧縮成形機Ａが成形した成形品Ｐを取り出して搬送する処理装置Ｂ、Ｃ、Ｄとを具備する成形品生産システムであって、粉体圧縮成形機Ａ又は処理装置Ｂ、Ｃ、Ｄ内を移動する成形品Ｐの移動経路に沿った所定位置に、成形品Ｐの重量と相関のある物理量を計測する重量計測装置Ａ２を設置した成形品生産システムを構成した。本実施形態によれば、成形した成形品Ｐを搬送しながらその重量を自動的に計測することができる。
【０１３５】
前記重量計測装置Ａ２は、前記粉体圧縮成形機Ａ又は前記処理装置Ｂ、Ｃ、Ｄ内を移動する成形品Ｐが移動の過程で衝突する部材であるガイド２０の始端部２０１に設けた、その衝突時に当該始端部２０１が受ける力を検出するセンサを含む。センサＡ２としては、既存のひずみゲージ式のロードセル等を採用することができ、低コストである。また、このような構成により、成形機Ａで成形した成形品Ｐの全数の重量を順次計測することができるようになる。
【０１３６】
本システムでは、制御装置０が、前記センサＡ２の出力信号に基づいて各成形品Ｐの重量を推算する。制御装置０は、標本となる成形品Ｐが前記部材２０１に衝突したときのセンサＡ２の出力信号と、同成形品Ｐの重量との組である検量線データの入力を受け付けて記憶する。当該制御装置０は、複数個の成形品Ｐの標本について得た、標本と同数の検量線データに対して、回帰分析や内挿等を通じた直線当てはめ又は曲線当てはめを行い、センサＡ２の出力信号と成形品Ｐの重量との関係式である検量線を求める。そして、本システムの実運用時には、成形品Ｐが部材２０１に衝突したときにセンサＡ２が出力する信号値を当該関係式に代入して、当該成形品Ｐの重量を算出する。これにより、成形品Ｐの重量計測の精度がより一層向上する。キャリブレーション、即ち複数個の標本に対する検量線データの取得及び検量線の関数式の決定は、本システムの実運用中も適時又は一定時間毎に行うことが好ましい。
【０１３７】
なお、本発明は以上に詳述した実施形態に限られるものではない。上記実施形態では、重量計測装置Ａ２のセンサをスクレーパ２０１に設けていたが、スクレーパ２０１以外の部材に設けてもよいことは言うまでもない。例えば、終端位置Ｅに到達しフランジ２８２から落下又は流下する成形品Ｐを受けるシュートの底壁又は側壁に、あるいは終端位置Ｅに到達する前にフランジ２０８から落下又は流下する成形品Ｐを受けるシュート３０２の底壁又は側壁に、成形品Ｐの衝突時に受ける力を検出するセンサを設けることが考えられる。
【０１３８】
その他、各部の具体的構成は、本発明の趣旨を逸脱しない範囲で種々変形することができる。
【符号の説明】
【０１３９】
０…制御装置
３１…テーブル
４…臼孔
５…上杵
６…下杵
２０１…成形品が移動の過程で衝突する部材（ガイド、スクレーパ）
Ａ…粉体圧縮成形機
Ａ２…重量計測装置（の要素となるセンサ）
Ｂ、Ｃ、Ｄ…処理装置（のモジュール）
Ｐ…成形品
Ｘ…充填装置
【図１】
2020049516.tif 000003
【図２】
2020049516.tif 000004
【図３】
2020049516.tif 000005
【図４】
2020049516.tif 000006
【図５】
2020049516.tif 000007
【図６】
2020049516.tif 000008
【図７】
2020049516.tif 000009
【図８】
2020049516.tif 000010
【図９】
2020049516.tif 000011
【図１０】
2020049516.tif 000012
【図１１】
2020049516.tif 000013
【図１２】
2020049516.tif 000014
【図１３】
2020049516.tif 000015
【図１４】
2020049516.tif 000016
【図１５】
2020049516.tif 000017
【図１６】
2020049516.tif 000018
【図１７】
2020049516.tif 000019